(57)【要約】【課題】木材の木目模様をより強調し際立たせることができる木材塗装方法を提供する。【解決手段】木材塗装方法は、木材の素地表面に塗料を塗布し、その素地表面の木目を形成する凹み部分を平滑化することなく素地表面の木目による凹凸形状に沿った塗膜層を形成する塗装工程と、該塗装工程により形成された塗膜層の上から、素地表目に着色された目止め剤を塗布し、素地表面の凹み部分を該着色された目止め剤で充填して素地表面を平滑化する目止め処理を行う目止め処理工程と、該目止め処理工程後に、素地表面の凹み部分以外の表面部分の塗膜層を維持し且つ凹み部分に該着色された目止め剤が充填されたまま、該表面部分に塗布された目止め剤を取り除く除去工程と、該除去工程後に、塗膜層及び目止め剤を覆うための仕上げ塗装を行う仕上げ処理工程とを備える。【選択図】図１
2016077985.tif 000002
【特許請求の範囲】
【請求項１】
木材の素地表面に塗料を塗布し、その素地表面の木目を形成する凹み部分を平滑化することなく素地表面の木目による凹凸形状に沿った塗膜層を形成する塗装工程と、
該塗装工程により形成された塗膜層の上から、素地表目に着色された目止め剤を塗布し、素地表面の凹み部分を前記着色された目止め剤で充填して素地表面を平滑化する目止め処理を行う目止め工程と、
該目止め工程後に、素地表面の凹み部分以外の表面部分の塗膜層を維持し且つ凹み部分に前記着色された目止め剤が充填されたまま、該表面部分に塗布された目止め剤を取り除く除去工程と、
該除去工程後に、塗膜層及び目止め剤を覆うための仕上げ塗装を行う仕上げ処理工程とを備えることを特徴とする木材塗装方法。
【請求項２】
前記塗装工程において、前記塗料は、前記目止め剤の色と異なる色で着色する着色塗料であることを特徴とする請求項１に記載の木材塗装方法。
【請求項３】
請求項１又は２の木材塗装方法により塗装された木材。
【発明の詳細な説明】
【技術分野】
【０００１】
本発明は、木材の素地表面を塗装する木材塗装方法に関する。
【背景技術】
【０００２】
家具などの木工製品を製作するための木材の素地表面には、導管の凹みが無数にあり、これが木目模様を形成している。この木目に塗料が均等に充填されるためには、例えば砥の粉などの樹脂類及び溶剤を泥状として表面に塗布して凹み部分を平滑化する目止め処理が必要とされている。目止め処理では、例えば水に溶いた砥の粉を素地表面に塗り、乾燥後にワイピング処理する。サンドペーパーによるサンディングだけでは平滑にしきれない導管や細胞間隙などの小孔部分を埋めることで、素地表面をより平滑にするだけでなく、木が塗料を吸い込むのを防ぐ効果があり、均一な塗装を可能とする。
【０００３】
木材の塗装工程においては、特許文献１及び２に開示されるように、この目止め処理を行った後、各種塗料による着色塗装が行われ、最終的にラッカー塗料やウレタン塗料などにより上塗りして仕上げ塗装が行われる。
【０００４】
図４は、従来の木材塗装工程により塗装が施された木材の断面図である。素地調整が行われた後、先ず、目止め処理により、木材１の素地表面に目止め剤３が塗布され、表面の小孔部分は目止め剤により充填される。例えばステインを添加混合することにより着色された目止め剤（砥の粉）を薄く塗布することで、木目を充填するとともに、木目模様が現れた着色塗装が行われ、その後、仕上げ処理として、透明塗料による下塗り（下塗り層４）、更なる上塗り（上塗り層５）を施すことで仕上げられる。
【先行技術文献】
【特許文献】
【０００５】
【特許文献１】特開平１０−２１１６０４号公報
【特許文献２】特開平９−１５５２８１号公報
【発明の概要】
【発明が解決しようとする課題】
【０００６】
従来の塗装技術において、目止め処理における着色塗装又は目止め処理後の着色塗装においても、木目を活かした塗装は行われていたが、本発明者は、木材の塗装手法の研究を進める中で、今般、目止め処理を行う木材塗装において、その木目模様をより際立たせる塗装方法を見いだした。
【０００７】
そこで、本発明の目的は、木材の木目模様をより強調し際立たせることができる木材塗装方法を提供することにある。
【課題を解決するための手段】
【０００８】
上記目的を達成するための本発明の木材塗装方法は、木材の素地表面に塗料を塗布し、その素地表面の木目を形成する凹み部分を平滑化することなく素地表面の木目による凹凸形状に沿った塗膜層を形成する塗装工程と、該塗装工程により形成された塗膜層の上から、素地表目に着色された目止め剤を塗布し、素地表面の凹み部分を前記着色された目止め剤で充填して素地表面を平滑化する目止め処理を行う目止め処理工程と、該目止め処理工程後に、素地表面の凹み部分以外の表面部分の塗膜層を維持し且つ凹み部分に前記着色された目止め剤が充填されたまま、該表面部分に塗布された目止め剤を取り除く除去工程と、該除去工程後に、塗膜層及び目止め剤を覆うための仕上げ塗装を行う仕上げ処理工程とを備えることを特徴とする。
【発明の効果】
【０００９】
本発明の木材塗装方法によれば、目止め処理前に素地に直接塗装を行い、その後目止め処理を行うことで、木目模様が強調され且つ鮮明となる塗装が可能となり、独特の風合いを醸し出す木材塗装が可能となる。かかる塗装を施した木材による家具などの木工製品を製作することで、斬新で差別化された製品を需要者に提供することができる。
【図面の簡単な説明】
【００１０】
【図１】本発明の実施の形態における塗装工程を示す図である。
【図２Ａ】前処理工程（Ｓ１）における木材の断面模式図である。
【図２Ｂ】塗装工程（Ｓ２）における木材の断面模式図である。
【図２Ｃ】目止め処理工程（Ｓ３）における木材の断面模式図である。
【図２Ｄ】拭き取り工程（Ｓ４）における木材の断面模式図である。
【図２Ｅ】仕上げ処理工程（Ｓ５）における木材の断面模式図である。
【図３】本発明の実施の形態における塗装方法により塗装された木材の写真である。
【図４】従来の塗装工程を施した木材の断面模式図である。
【発明を実施するための形態】
【００１１】
以下、図面を参照して本発明の実施の形態について説明する。しかしながら、かかる実施の形態例が本発明の技術的範囲を限定するものではない。
【００１２】
図１は、本発明の実施の形態における木材塗装方法の処理工程を示す図である。本処理工程は、前処理工程（Ｓ１）、塗装工程（Ｓ２）、目止め処理工程（Ｓ３）、拭き取り工程（除去工程）（Ｓ４）、仕上げ処理工程（Ｓ５）を有する。
【００１３】
図２は、本処理工程の各工程における木材の断面を示す模式図であり、図２Ａは前処理工程（Ｓ１）、図２Ｂは塗装工程（Ｓ２）、図２Ｃは目止め処理工程（Ｓ３）、図２Ｄは拭き取り工程（除去工程）（Ｓ４）、図２Ｅは仕上げ処理工程（Ｓ５）を示す。以下、各工程について説明する。
【００１４】
前処理工程（Ｓ１）は、塗装の前段階に行われる処理であって、塗装面となる木材の素地表面をサンドペーパーなどで研磨して平滑化し、平坦面を作る工程である。研磨により、素地表面のキズや汚れも除去する。
【００１５】
図２Ａは、前処理工程（Ｓ１）により平滑化された木材素地表面１０を示す。その素地表面には、木目を形成する導管や細胞壁などの木材組織による小孔部分１１（以下、木目形成凹み部分と称する）が残っている。この木目形成凹み部分１１は、後述の目止め処理工程において、目止め剤により埋められる。
【００１６】
塗装工程（Ｓ２）は、前処理された木材の素地表面に塗料を塗布し、その素地表面の木目形成凹み部分を埋めることなく素地表面の木目による凹凸形状に沿った塗膜層を形成する工程である。塗装は、刷毛塗り又はスプレー塗りのいずれでもよい。また、塗料は、ラッカー系やウレタン系などその種類は問わず、着色塗料又は透明（クリア）塗料のいずれでもよく、また、油性塗料、水性塗料のどちらを用いてもよい。ただし、後述するように、後の工程における目止め処理においては、一般に、水性の目止め剤（例えば砥の粉）を用いる場合が多く、水性目止め剤を塗布する場合、本塗装工程（Ｓ２）では、それと異なる油性の塗料を塗布することで、後述の拭き取り工程が容易となる。
【００１７】
図２Ｂは、塗装工程（Ｓ２）により、素地表面１０の上に塗装膜２０が形成された状態を示す。素地表面への直接塗装により、塗料が表面から浸透しつつ、木目形成凹み部分１１を含む素地表面１０の凹凸形状に沿って塗装膜２０が作られる。
【００１８】
目止め処理工程（Ｓ３）は、塗装工程（Ｓ２）による塗装が完全に乾燥し、塗装膜２０が硬化した後実施される。顔料又は染料などの着色剤が添加された目止め剤３０が用いられ、目止めと同時に着色も行われる。塗装工程（Ｓ２）において油性塗料による塗装が行われた場合、水性の目止め剤３０を塗装膜２０上から素地表面を刷毛又はヘラなどで、木目形成凹み部分１１にすり込むように塗り付ける。塗り漏れがないよう素地表面の全体に目止め剤が塗り広げられ、木目形成凹み部分１１は目止め剤３０により充填される。
【００１９】
図２Ｃは、目止め処理工程（Ｓ３）により、素地表面全体に目止め剤３０が塗布された状態を示す。木目形成凹み部分１１も目止め剤３０により埋められ、木目模様による凹凸も平滑化される。
【００２０】
拭き取り工程（Ｓ４）は、塗り終わった目止め剤３０が乾燥した後、柔らかい布などで拭き取る。このとき、木目形成凹み部分１１以外の平坦表面部分を拭き取ることで、木目形成凹み部分１１に充填された目止め剤３０は残したまま、それ以外の平坦表面部分に塗られた目止め剤３０を完全に除去するように拭き取られる。木目形成凹み部分１１は目止め剤３０により埋められ、素地表面全体が平滑化される。素地表面は目止め剤３０は、塗装膜２０上に塗布されているので、素地表面には浸透せず、塗装膜２０上に塗られた目止め剤３０はきれい且つ容易に拭き取ることができる。目止め剤３０は、塗装膜２０にも浸透しない。従来通り、着色剤が添加された目止め剤３０を素地表面に直接塗布した場合、目止め剤３０（その中の着色剤を含む）は素地に浸透し、拭き取り作業によっても、素地に浸透した成分は沈着したままであり、木目形成凹み部分１１以外の平坦表面部分に形成された着色層を除去しきれず、着色された色は残る（図４の目止め剤３による層を参照）。
【００２１】
一方、本実施の形態における木材塗装方法においては、目止め処理工程での着色後の拭き取り作業によって、木目形成凹み部分１１にのみ着色された目止め剤３０が定着し、木目模様が際立って現れることになる。特に、塗装工程（Ｓ１）において着色塗料により塗装した場合、塗装膜２０の色と、木目形成凹み部分１１に残った目止め剤３０の色との違いにより、木目がより強調され且つ鮮明に現れ、独特の風合いを有する塗装となる。
【００２２】
図２Ｄは、拭き取り工程（Ｓ４）により、木目形成凹み部分１１以外の平坦表面部分の目止め剤が拭き取られた状態を示す。木目形成凹み部分１１にのみ目止め剤３０が残り、素地表面が平滑化されるとともに、木目が着色される。
【００２３】
仕上げ処理工程（Ｓ５）は、透明なサーフェイサーによる下塗りが行われ、さらに、ラッカー塗料又はウレタン塗料による上塗りが行われ、仕上げられる。仕上げ塗装は、２段階で行う場合に限らず、１段階でもよく、また、３段階以上でもよい。また、使用される塗料は、塗装される木材の用途等に応じてさまざまな種類のものが適宜選択される。作業は、刷毛塗り、スプレー塗りのいずれでもよい。
【００２４】
図２Ｅは、仕上げ処理工程（Ｓ５）により、仕上げのための透明な下塗り層４０と上塗り層５０が積層された状態を示す。
【００２５】
図３は、本発明の実施の形態における塗装方法により塗装された木材の写真であり、具体的には、この木材を用いて製作された書棚の一部分を撮影したものである。塗装工程（Ｓ２）により黒色に着色した後、目止め処理工程（Ｓ３）において、黄色（図３における白っぽい部分）に着色された目止め剤による目止め処理を行った。木材表面はその木目が際立って鮮明に現れており、木目が強調されたデザインとなっている。
【００２６】
本発明の塗装方法により塗装された木材は、例えば机、椅子、書棚などの家具など木目模様を活かしたさまざまな木工製品に適用することができる。
【符号の説明】
【００２７】
１０：素地表面、１１：木目形成凹み部分、２０：塗装膜、３０：目止め剤、４０：下塗り層、５０：上塗り層
【図１】
2016077985.tif 000003
【図２Ａ】
2016077985.tif 000004
【図２Ｂ】
2016077985.tif 000005
【図２Ｃ】
2016077985.tif 000006
【図２Ｄ】
2016077985.tif 000007
【図２Ｅ】
2016077985.tif 000008
【図３】
2016077985.tif 000009
【図４】
2016077985.tif 000010